(57)【要約】【課題】設置作業の労力を軽減し、容易に設置することが可能な印刷装置を提供すること。【解決手段】印刷装置１は、印刷装置本体１０と、印刷装置本体１０を支える脚部５０と、を備え、脚部５０は、折りたたみ可能な脚６１，６４を有し、印刷装置本体１０に取り付けられている。【選択図】図１
2016043531.tif 000002
【特許請求の範囲】
【請求項１】
印刷装置本体と、
前記印刷装置本体を支える脚部と、
を備え、
前記脚部は、折りたたみ可能な脚を有し、前記印刷装置本体に取り付けられていること、を特徴とする印刷装置。
【請求項２】
前記脚部は、ステーを有し、
前記ステーは、前記脚に設けられている溝部に沿って移動可能であり、前記脚が展開された状態において一対の前記脚に接続されていること、を特徴とする請求項１に記載の印刷装置。
【請求項３】
前記脚部は、前記脚を支持する支持軸と、前記支持軸が貫通する軸穴と、を有し、
前記脚は、前記支持軸と前記軸穴とを介して前記印刷装置本体に接続され、
前記軸穴は、前記脚の延出方向に沿った長穴の形状であること、を特徴とする請求項１または２に記載の印刷装置。
【請求項４】
前記脚部は、展開された前記脚が展開前の状態に戻ることを防止するストッパーを有していること、を特徴とする請求項１から３のいずれか一項に記載の印刷装置。
【請求項５】
前記ステーは、梁部と、前記梁部の両端に設けられているハンマーヘッド形状のハンマーヘッド部と、を有し、
前記ハンマーヘッド部は、前記脚に設けられているハンマーヘッド形状の溝部に遊嵌されていること、を特徴とする請求項２に記載の印刷装置。
【発明の詳細な説明】
【技術分野】
【０００１】
本発明は、印刷装置に関する。
【背景技術】
【０００２】
従来から、印刷装置として、ノズルを備えた吐出ヘッドから被印刷媒体にインクを吐出して印刷を行うインクジェットプリンターが知られていた。ポスターなどの大型の画像を印刷する商業用の大型の印刷装置においては、印刷装置は印刷装置本体と固定式の脚とで構成され、印刷装置本体は固定式の脚に設置されていた。特許文献１には、プリンターの底部を形成するベースフレームに取着された複数の脚部と、支持脚に設けられプリンターのベースフレームを支える載置台と、を備え、プリンターの前後を間違えることなく載置することができるプリンターの脚装置が開示されている。
【先行技術文献】
【特許文献】
【０００３】
【特許文献１】特開２００１−１７１２０４号公報
【発明の概要】
【発明が解決しようとする課題】
【０００４】
しかしながら、大型の印刷装置は、印刷装置本体と、組み立て式の脚部と、が分離された状態で梱包出荷され、ユーザーが脚部を組み立てた後に、印刷装置本体を脚部上に設置する設置作業が必要であった。この設置作業は、脚部を組み立てた後、脚部の上に印刷装置本体を乗せ、脚部に設けられている貫通孔などを介して印刷装置本体と脚部とをボルトなどで固定していた。この際、印刷装置の重量が重く、印刷装置本体と脚部との位置合わせが難しいことなどにより、ユーザーは印刷装置の設置作業に労力を要していた。
【課題を解決するための手段】
【０００５】
本発明は、上述の課題の少なくとも一部を解決するためになされたものであり、以下の形態または適用例として実現することが可能である。
【０００６】
［適用例１］本適用例に係る印刷装置は、印刷装置本体と、前記印刷装置本体を支える脚部と、を備え、前記脚部は、折りたたみ可能な脚を有し、前記印刷装置本体に取り付けられていること、を特徴とする。
【０００７】
本適用例によれば、印刷装置は、印刷装置本体と脚部とを含んで構成されている。脚部には、折りたたみ可能な脚が備えられている。印刷装置の出荷に際して、予め印刷装置本体の例えば下部に脚部を固定し、脚を折りたたんだ状態で梱包出荷することで、ユーザーは折りたたまれた脚を展開するだけで、印刷装置を設置することができる。したがって、設置作業の労力を軽減し、容易に設置することが可能な印刷装置を提供することができる。
【０００８】
［適用例２］上記適用例に記載の印刷装置において、前記脚部は、ステーを有し、前記ステーは、前記脚に設けられている溝部に沿って移動可能であり、前記脚が展開された状態において一対の前記脚に接続されていること、が好ましい。
【０００９】
本適用例によれば、脚部は一対の脚同士を接続するステーを有し、ステーは一対の脚が展開された状態において、脚に設けられている溝に沿って移動することができる。印刷装置は、互いに内側に向かって折りたたまれた一対の脚の付け根にステーが設置された状態で梱包出荷される。ユーザーが印刷装置本体を持ち上げることにより、折りたたまれた一対の脚が脚の自重で展開され、一対の脚の間隔とステーの長さとが略同じになった時、ステーは、ステーの自重で一対の脚を外側に押し広げながら降下する。これにより、脚を展開した状態に維持させることができる。
【００１０】
［適用例３］上記適用例に記載の印刷装置において、前記脚部は、前記脚を支持する支持軸と、前記支持軸が貫通する軸穴と、を有し、前記脚は、前記支持軸と前記軸穴とを介して前記印刷装置本体に接続され、前記軸穴は、前記脚の延出方向に沿った長穴の形状であること、が好ましい。
【００１１】
本適用例によれば、折りたたみ可能な脚は、例えば、脚の側面に設けられている軸穴と、軸穴を貫通して脚を支持する支持軸と、を介して回動可能に印刷装置本体に接続されている。脚を展開した状態において、軸穴は脚の延出方向に沿った長穴の形状をしており、脚部は長穴に沿って伸縮することができる。脚は伸長された状態において回動可能であり、ユーザーが印刷装置本体を持ち上げて脚を展開した後に印刷装置本体を降ろした時、脚は印刷装置本体側に押し込まれる。これにより、脚を展開した状態に固定させることができる。
【００１２】
［適用例４］上記適用例に記載の印刷装置において、前記脚部は、展開された前記脚が展開前の状態に戻ることを防止するストッパーを有していること、が好ましい。
【００１３】
本適用例によれば、脚部にはストッパーが設けられている。脚を展開させた時に、ストッパーを作動させることにより、脚が展開前の状態に戻ることを防止することができる。これにより、印刷装置の設置作業の安全性を向上させることができる。
【００１４】
［適用例５］上記適用例に記載の印刷装置において、前記ステーは、梁部と、前記梁部の両端に設けられているハンマーヘッド形状のハンマーヘッド部と、を有し、前記ハンマーヘッド部は、前記脚に設けられているハンマーヘッド形状の溝部に遊嵌されていること、が好ましい。
【００１５】
本適用例によれば、ステーは、梁部と、梁部の両端に設けられているハンマーヘッド部と、を有し、脚は、ハンマーヘッド形状の溝部を有している。一対の脚が展開された状態において、ハンマーヘッド形状の溝部にハンマーヘッド部が遊嵌されることで、一対の脚がステーで接続される。これにより、ステーが溝部から脱落すること、および、折りたたみ可能な脚が、折りたたみ方向とは逆の方向に開くこと、を防止することができる。
【図面の簡単な説明】
【００１６】
【図１】実施形態に係る印刷装置の概略構成を示す斜視図。
【図２】印刷装置の概略構成を示す側面図。
【図３】図１におけるＡ−Ａ線での断面図。
【図４】ストッパーの動作を示す斜視図。
【図５】変形例に係る印刷装置の図２（ｂ）におけるＢ−Ｂ線での断面図。
【発明を実施するための形態】
【００１７】
以下、本発明の実施形態について、図面を参照して説明する。なお、以下の各図においては、各層や各部材を認識可能な程度の大きさにするため、各層や各部材の尺度を実際とは異ならせている。
また、各図において、説明の便宜上、互いに直交する三軸として、Ｘ軸、Ｙ軸およびＺ軸を図示しており、軸方向を図示した矢印の先端側を「＋側」、基端側を「−側」としている。以下では、Ｘ軸に平行な方向を「Ｘ軸方向」または「主走査方向」、Ｙ軸に平行な方向を「Ｙ軸方向」または「副走査方向」、Ｚ軸に平行な方向を「Ｚ軸方向」という。また、＋Ｙ軸側から見た側面を「正面」、反対側を「背面」とする。
【００１８】
（実施形態）
図１は、実施形態に係る印刷装置１の概略構成を示す模式斜視図である。
まず、実施形態に係る印刷装置１の概略構成について、図１を用いて説明する。
【００１９】
図１に示すように、印刷装置１は、ポスターなどの大型の画像を印刷する商業用の大型のインクジェットプリンターであり、印刷装置本体１０と、印刷装置本体１０を支える脚部５０と、を含んで構成されている。印刷装置１は、印刷装置本体１０の下部が、脚部５０に接続されている。印刷装置本体１０は、Ｘ軸方向に沿って延在している略直方体形状の印刷部１４と、印刷部１４の背面から上側（＋Ｚ軸側）後方（−Ｙ軸側）へ斜めに突き出るように設けられている装填部１５と、を備えている。装填部１５には、長尺の被印刷媒体１２がロール状に巻き重ねられたロール媒体が充填されている。被印刷媒体１２としては、紙、布、フィルム、金属などを用いることができる。
【００２０】
装填部１５と印刷部１４との境界位置には、装填部１５に装填されたロール媒体から巻き解かれながら繰り出される被印刷媒体１２を印刷部１４内へ給送するための給紙口１７が設けられている。印刷部１４内には、給紙口１７から給送された被印刷媒体１２を、その搬送経路に沿って印刷部１４の正面に形成されている排紙口１８まで搬送する搬送機構（図示せず）が設けられている。
【００２１】
印刷部１４内における被印刷媒体１２の搬送経路と対向する位置には、被印刷媒体１２が搬送される副走査方向（＋Ｙ軸方向）と交差する主走査方向（±Ｘ軸方向）に、キャリッジ１９が往復移動可能に設けられている。キャリッジ１９には、被印刷媒体１２に向かってインクを吐出するノズルが形成された吐出ヘッド２０が、備えられている。吐出ヘッド２０が、ノズルからインクを吐出しながらキャリッジ１９と共に主走査方向に往復移動し、被印刷媒体１２が副走査方向に搬送されることにより、被印刷媒体１２に画像などが印刷される。なお、印刷部１４の右端（＋Ｘ軸側）上部（＋Ｚ軸側）には、ユーザーが各種の設定操作や各種の情報の入力操作などを行うための操作パネル２１が設けられている。
【００２２】
脚部５０は、折りたたみ可能な一対の脚６１，６４を有し、印刷装置本体１０に取り付けられている。詳しくは、脚部５０は、載置台５１，５２、脚６１，６４を支持している支持部５３，５４、ステー７０を含んで構成されている。脚６１は、Ｚ軸方向に沿って延在している直方体の縦脚６２と、縦脚６２の下端から±Ｙ軸方向に沿って延出している直方体の横脚６３と、で構成されている。脚６１の縦脚６２の上端は、支持部５３と載置台５１とを介して印刷装置本体１０の左側（−Ｘ軸側）下部（−Ｚ軸側））に接続されている。印刷装置本体１０、載置台５１、および支持部５３は、図示しないボルトとナットとなどにより固定されている。
【００２３】
脚６４は、Ｚ軸方向に沿って延在している直方体の縦脚６５と、縦脚６５の下端から±Ｙ軸方向に沿って延出している直方体の横脚６６とで構成されている。脚６４の縦脚６５の上端は、支持部５４と載置台５２とを介して印刷装置本体１０の右側（＋Ｘ軸側）下部（−Ｚ軸側）に接続されている。印刷装置本体１０、載置台５２、および支持部５４は、図示しないボルトとナットとなどにより固定されている。本実施形態では、印刷装置１を移動可能とするキャスター６７や、印刷装置１を設置場所に固定するための固定金具６８などを、横脚６３，６６の下面（−Ｚ軸側）に備えている。なお、図１は、折りたたみ可能な脚６１，６４を展開した状態（脚を立てた状態）を示している。
【００２４】
脚部５０は、一対の脚６１，６４を接続する直方体のステー７０を有している。脚６１の縦脚６２の＋Ｘ軸側の側面には、Ｚ軸方向に沿って延在する溝部５５が設けられ、脚６４の縦脚６５の−Ｘ軸側の側面には、Ｚ軸方向に沿って延在する溝部５６が設けられている。脚６１，６４を展開した状態において、脚６１と脚６４とは、縦脚６２の溝部５５、縦脚６５の溝部５６を介してステー７０で接続されている。ステー７０は、溝部５５，５６に沿ってＺ軸方向に移動可能となっている。
【００２５】
図２は、印刷装置１の概略構成を示す側面図である。図２（ａ）は、脚６１，６４を折りたたんだ状態の印刷装置１を示している。図２（ｂ）は、脚６１，６４を展開した状態の印刷装置１を示している。
【００２６】
図２（ａ）に示すように、脚６１，６４は、支持部５３，５４の後述する支持軸８１（図３参照）を中心に回動可能に印刷装置本体１０の下部に接続されている。脚６１，６４を折りたたんだ状態において、脚６１の縦脚６２は支持部５３から＋Ｘ軸方向に向かって延在し、脚６４の縦脚６５は支持部５４から−Ｘ軸方向に向かって延在している。すなわち、脚６１、６４を折りたたんだ状態において、縦脚６２は支持部５３から支持部５４側に向かって延在し、縦脚６５は、支持部５４から支持部５３側に向かって延在している。ステー７０は縦脚６２，６５に設けられている溝部５５，５６（図１参照）の上端で溝部５５，５６から遊離した状態で、折りたたまれた脚６１，６４の上面と載置台５１、５２の下面との間の所定位置に挟持されている。印刷装置１は、脚６１，６４を折りたたんだ状態でユーザーに梱包出荷される。なお、脚６１、６４は、折りたたんだ状態で互いに接触しない長さとなっている。そのため、印刷装置本体１０の下側に納まる構成となっている。
【００２７】
脚６１，６４が折りたたまれた状態で納品された印刷装置１は、ユーザーにより脚６１，６４が展開され、設置固定される。ユーザーが印刷装置本体１０を持ち上げることにより、脚６１，６４は、後述する支持軸８１を中心に脚６１，６４の自重で回動し展開される。一対の脚６１，６４の間隔とステー７０の長さとが略同じになった時、ステー７０の両端が脚６１，６４の上端から縦脚６２の溝部５５と、縦脚６５の溝部５６と、に嵌入される。そして、ステー７０は、脚６１，６４を自重で押し広げながら溝部５５，５６に沿って降下する。これにより、一対の脚６１，６４は展開した状態（図２（ｂ））で維持される。ユーザーが印刷装置本体１０を降ろすことにより、脚６１，６４が印刷装置本体１０側（＋Ｚ軸方向）に押し込まれ、一対の脚６１，６４は展開された状態で固定される。このように、ユーザーは、印刷装置本体１０に取り付けられている折りたたみ可能な脚６１，６４を折りたたんだ状態から展開することで、印刷装置１を容易に設置することができる。
【００２８】
次に、折りたたみ可能な脚６４の展開と固定とについて詳述する。
図３は、図１におけるＡ−Ａ線での断面図であり、脚６４の内部から−Ｙ軸方向を見た図である。図３（ａ）は、脚６４を折りたたんだ状態を示している。図３（ｂ）は、ユーザーが印刷装置本体１０を持ち上げて脚６４を展開した状態を示している。図３（ｃ）は、ユーザーが印刷装置本体１０を降ろして脚６４を＋Ｚ軸方向に押し込んだ状態を示している。
【００２９】
図３に示すように、脚６４は、脚６４を支持する支持軸８１と、支持軸８１が貫通する軸穴８３を介して印刷装置本体１０（図１参照）に接続されている。詳しくは、図３（ｂ）に示すように脚６４を展開した状態において、軸穴８３は、脚６４の縦脚６５の±Ｙ軸側の側面を貫く貫通穴であり、縦脚６５の上部（＋Ｚ軸側）に設けられている。軸穴８３は、縦脚６５が延在する方向（Ｚ軸方向）に沿って伸びる長穴の形状をなしている。支持軸８１は、支持部５４に設けられ、縦脚６５の軸穴８３を介して支持部５４と脚６４とを接続している。なお、脚６４の−Ｙ軸側の側面を用いて、脚６４と支持軸８１と軸穴８３との構成を説明したが、脚６４の＋Ｙ軸側の側面についても、同様に構成されている。また、本実施形態では、支持部５４に支持軸８１が設けられ、縦脚６５に軸穴８３が設けられているものと説明したが、支持部に軸穴が設けられ、縦脚に支持軸が設けられていてもよい。
【００３０】
脚部５０は、図３（ｂ）および図３（ｃ）に示すように脚６４を展開した状態において、軸穴８３の長穴の長径方向（Ｚ軸方向）に沿って、伸縮可能になっている。また、図３（ａ）および図３（ｂ）に示すように、脚６４は、脚部５０を伸長した状態において、支持軸８１を中心にＸＺ平面に沿って回動可能に接続されており、図３（ａ）に示す脚６４を折りたたんだ状態と、図３（ｂ）に示す脚６４を展開した状態と、を形成することができる。ユーザーが印刷装置本体１０（図２参照）を持ち上げることにより、脚６４が支持軸８１を中心に脚６４の自重で回動し、図３（ａ）の状態から図３（ｂ）の状態に移行する。この時、ステー７０が溝部５６に沿って降下し、脚６４が展開された状態で維持される。
【００３１】
支持部５４の±Ｙ軸方向と＋Ｘ軸方向との内壁には、内溝部８５が形成されている。図３に示すように、＋Ｘ軸方向の内壁に形成された内溝部８５は＋Ｘ軸方向に窪んでいる。図示は省略するが、＋Ｙ軸方向の内壁に形成された内溝部８５は＋Ｙ軸方向に、−Ｙ軸方向の内壁に形成された内溝部８５は−Ｙ軸方向に、窪んでいる。内溝部８５は、図３（ａ）から図３（ｂ）の状態への脚６４の回動を阻害せず、且つ、図３（ｃ）に示すように脚６４が印刷装置本体１０側（＋Ｚ軸方向）に押し込まれた状態において、縦脚６５の上端面６５ａと、支持部５４内の天面８５ａが密接する形状をなしている。ユーザーが印刷装置本体１０を降ろした時、脚６４の縦脚６５が軸穴８３に沿って＋Ｚ軸方向に押し込まれる。これにより、縦脚６５の上端面６５ａが、支持部５４の内溝部８５の天面８５ａに密に当接して、脚６４は展開された状態で固定される。脚６１についても、同様に展開され、展開された状態で固定される。
【００３２】
図４はストッパーの動作を示す斜視図であり、図１における脚６１の拡大図である。図４（ａ）は、脚６１を折りたたんだ状態を示している。図４（ｂ）は、脚６１を展開した状態を示している。
【００３３】
脚部５０は、展開された脚６１が展開前の状態に戻ることを防止するストッパー９１を有している。図４（ａ）に示すように、脚６１が折りたたまれた状態において、ストッパー９１は、支持部５３の＋Ｘ軸側の側面と、縦脚６２の＋Ｙ軸側の側面とに沿ってＺ軸方向に延在している。ストッパー９１は、Ｚ軸方向に延在する直方体の−Ｚ軸側と±Ｙ軸側との側面とでなす角が半円状に丸められた形状をなしており、半円状の円弧の中心にＸ軸方向に貫通する貫通穴を有している。ストッパー９１は、支持部５３の＋Ｘ軸側の側面の下部（−Ｚ軸側）に、貫通穴を貫通する接続軸９３を中心にＹＺ平面に沿って＋Ｚ軸方向から−Ｙ軸方向に回動可能に接続されている。ストッパー９１は、図示しないバネなどによって、＋Ｚ軸方向から−Ｙ軸方向へ駆動する力が働いている。ストッパー９１の駆動方向である−Ｙ軸側には、折りたたまれた脚６１がＸ軸方向に沿って延在しているため、ストッパー９１は回動しない。
【００３４】
脚部５０は、図４（ａ）に示す脚６１が折りたたまれた状態から、脚６１が支持軸８１を中心にＸＺ平面に沿って＋Ｘ軸方向から−Ｚ軸方向に回動して、図４（ｂ）に示す脚６１が展開された状態になる。この時、ストッパー９１の回動方向である−Ｙ軸側が開放され、ストッパー９１は、接続軸９３を中心にＹＺ平面に沿って＋Ｚ軸方向から−Ｙ軸方向に回動して図示しない突起などにより停止する。これにより、脚６１が展開前の状態に戻ることを防止することができる。脚６４についても、同様のストッパーが支持部５４の−Ｘ軸側の側面の下部（−Ｚ軸側）に設けられ、脚６４が展開前の状態に戻ることを防止している。
【００３５】
なお、本実施形態では、脚部５０は、一対の脚６１，６４と、一本のステー７０とで構成されるものと説明したが、複数対の脚と、複数のステーとで構成されていてもよい。また、縦脚６２，６５、横脚６３，６６、およびステー７０は、直方体の形状であるものと説明したが、これに限定されるものではない。
【００３６】
以上述べたように、本実施形態に係る印刷装置１によれば、以下の効果を得ることができる。
印刷装置１は、印刷装置本体１０と脚部５０とを含んで構成されている。脚部５０は、折りたたみ可能な一対の脚６１，６４、一対の脚６１，６４を接続するステー７０、脚６１，６４を支持する支持軸８１、支持軸８１が貫通する軸穴８３、および展開された脚６１，６４が展開前の状態に戻ることを防止するストッパー９１を有している。
脚６１，６４が折りたたまれた状態の印刷装置１の印刷装置本体１０を持ち上げることにより、折りたたまれた脚６１，６４が脚６１，６４の自重で展開される。この時、脚６１，６４が展開前の状態に戻ることを防止するストッパーが作動して、脚６１，６４の上部に位置していたステー７０が、ステー７０の自重で一対の脚６１，６４を外側に押し広げながら降下する。これにより、脚６１，６４を展開した状態で維持させることができる。
脚部５０は、脚６１，６４に設けられている長穴状の軸穴８３に沿って伸縮することができる。印刷装置本体１０を降ろして、展開された脚６１，６４を床に接触させると、脚６１，６４は、印刷装置本体１０側に押し込まれる。これにより、脚６１の上端が支持部５３の内面に形成された内溝部の天面に、脚６４の上端面６５ａが支持部５４の内面に形成された内溝部８５の天面８５ａに密に当接し、脚６１，６４を展開させた状態で固定させることができる。したがって、設置作業の労力を軽減し、容易に設置することが可能な印刷装置１を提供することができる。
【００３７】
なお、本発明は上述した実施形態に限定されず、実施形態に種々の変更や改良などを加えることが可能である。変形例を以下に述べる。
【００３８】
（変形例）
変形例に係る印刷装置１００は、ステー１７０と溝部１５５，１５６との形状が実施形態と異なっている。
【００３９】
図５は、変形例に係る印刷装置１００の図２（ｂ）におけるＢ−Ｂ線での断面図である。脚部１５０は、一対の脚１６１，１６４を接続するステー１７０を有している。ステー１７０は、梁部１７１とハンマーヘッド部１７３，１７４とを含み構成されている。＋Ｚ軸方向から見て、Ｘ軸方向に沿って延在している直方体の梁部１７１の両端にはハンマーヘッド形状のハンマーヘッド部１７３，１７４が接続されている。脚１６１の縦脚１６２の＋Ｘ軸側の側面、および脚１６４の縦脚１６５の−Ｘ軸側の側面にはハンマーヘッド部１７３，１７４の外形に沿ったハンマーヘッド形状の溝部１５５，１５６が形成されている。溝部１５５，１５６にハンマーヘッド部１７３，１７４を遊嵌することで、ステー１７０は溝部１５５，１５６に沿ってＺ軸方向に移動可能となっている。なお、ステー１７０の移動性を向上させるために、梁部１７１とハンマーヘッド部１７３，１７４とは−Ｚ軸方向に変位可能なジョイントを介して接続されていてもよい。
【００４０】
脚１６１，１６４を折りたたんだ状態で納品された印刷装置１００の印刷装置本体１０をユーザーが持ち上げることにより、脚１６１，１６４が、展開する。
ステー１７０は、展開された脚１６１，１６４に沿って自重で降下し、一対の脚１６１，１６４を展開した状態で維持する。詳しくは、脚１６１，１６４が展開されると、ステー１７０のハンマーヘッド部１７３，１７４が、縦脚１６２，１６５に設けられた溝部１５５，１５６の上端で溝部１５５，１５６に嵌入される。ハンマーヘッド部１７３，１７４が溝部１５５，１５６に遊嵌されたステー１７０は、ステー１７０の自重で脚１６１を−Ｘ軸方向に、脚１６４を＋Ｘ軸方向に押し広げながら降下する。ステー１７０が、溝部１５５，１５６（図１参照）の下端に達することで、脚１６１，１６４は展開前の状態に戻ることが防止され、展開された状態で維持される。ステー１７０と溝部１５５，１５６とは、ハンマーヘッド形状で遊嵌されているため、折りたたみ方向とは逆方向（脚１６１が−Ｘ軸方向、脚１６４が＋Ｘ軸方向）に、広がることも防止できる。
【００４１】
なお、本変形例では、ステー１７０の両端および溝部１５５，１５６は、ハンマーヘッド形状で遊嵌されるものと説明したが、ステー１７０が、溝部１５５，１５６に沿ってＺ軸方向に移動し、一対の脚１６１，１６４を展開した状態において、ステー１７０と溝部１５５，１５６とが遊離しない構成であれば、この形状に限定されるものではない。
【００４２】
以上述べたように、本変形例に係る印刷装置１００によれば、上述の実施形態での効果に加えて、以下の効果を得ることができる。
ステー１７０は、梁部１７１と、梁部１７１の両端に設けられているハンマーヘッド形状のハンマーヘッド部１７３，１７４を有している。脚１６１の縦脚１６２と、脚１６４の縦脚１６５の内側面には、ハンマーヘッド部１７３，１７４の外形に沿ったハンマーヘッド形状の溝部１５５，１５６が形成されている。ステー１７０は、脚１６１，１６４が展開された状態において、ハンマーヘッド部１７３，１７４が溝部１５５，１５６に遊嵌されている。これにより、ステー１７０が溝部１５５，１５６から脱落すること、脚１６１，１６４が展開前の状態にもどること、および脚１６１，１６４が折りたたみ方向とは逆方向に広がること、を防止することができる。
【符号の説明】
【００４３】
１，１００…印刷装置、１０…印刷装置本体、１２…被印刷媒体、１４…印刷部、１５…装填部、１７…給紙口、１８…排紙口、１９…キャリッジ、２０…吐出ヘッド、２１…操作パネル、５０，１５０…脚部、５１，５２…載置台、５３，５４…支持部、５５，５６，１５５，１５６…溝部、６１，６４，１６１，１６４…脚、７０，１７０…ステー、８１…支持軸、８３…軸穴、８５…内溝部、９１…ストッパー、９３…接続軸、１７１…梁部、１７３，１７４…ハンマーヘッド部。
【図１】
2016043531.tif 000003
【図２】
2016043531.tif 000004
【図３】
2016043531.tif 000005
【図４】
2016043531.tif 000006
【図５】
2016043531.tif 000007